(57)【要約】快適にディスク状記憶媒体（５，１０，１３５）を装填しかつ取り出すことが可能な、ディスク状記憶媒体（５，１０，１３５）のためのドライブ（１）を提案する。ドライブ（１）はディスク状記憶媒体（５，１０，１３５）をドライブ（１）内に搬送するための装填装置（１５）を有しており、その際、装填装置（１５）はディスク状記憶媒体（５，１０，１３５）を収容するためのキャリア（２０）を有している。キャリア（２０）は装填位置で実質的にドライブ（１）内に留まり、ドライブ（１）の挿入開口（２５）の方向で、ディスク状記憶媒体（５，１０，１３５）をセットするための開口（１０００）を有している。
2005500645.tif 000002
【特許請求の範囲】
【請求項１】
ディスク状記憶媒体（５，１０，１３５）をドライブ（１）内に搬送するための装填装置（１５）を備えた、ディスク状記憶媒体（５，１０，１３５）のためのドライブ（１）であって、装填装置（１５）が、ディスク状記憶媒体（５，１０，１３５）を収容するためのキャリア（２０）を有している形式のものにおいて、キャリア（２０）が装填位置で実質的にドライブ（１）内に留まることを特徴とするドライブ。
【請求項２】
キャリア（２０）がドライブ（１）の挿入開口（２５）の方向で、ディスク状記憶媒体（５，１０，１３５）をセットするための開口（１０００）を形成する、請求項１記載のドライブ。
【請求項３】
キャリア（２０）が装填位置で完全にドライブ（１）内に留まる、請求項１または２記載のドライブ。
【請求項４】
キャリア（２０）が開口（１０００）の領域に、弾性的に支承された２つのセンタリングエレメント（３０，３５）を有しており、該センタリングエレメント（３０，３５）の間隔が第１のディスク状記憶媒体（５）の直径よりも小さく、第１のディスク状記憶媒体（５）の、挿入開口（２５）および開口（１０００）を介したキャリア（２０）上への導入がセンタリングエレメント（３０，３５）を外方に押し広げ、キャリア（２０）が、開口（１０００）とは反対の側に、導入された第１のディスク状記憶媒体（５）をブロックするための、少なくとも１つの保持エレメント（４０，４５）を有している、請求項１から３までのいずれか１項記載のドライブ。
【請求項５】
センタリングエレメント（３０，３５）と少なくとも１つの保持エレメント（４０，４５）との間の間隔を、少なくとも１つの保持エレメント（４０，４５）に対する第１のディスク状記憶媒体（５）の当接時にセンタリングエレメント（３０，３５）が再度その出発位置に復帰するように設定してある、請求項４記載のドライブ。
【請求項６】
キャリア（２０）が縁部（５０，５５）を有しており、該縁部（５０，５５）が、両センタリングエレメント（３０，３５）各々と、少なくとも１つの保持エレメント（４０，４５）との間で、その都度１つの円弧状の制限部を形成する、請求項４または５記載のドライブ。
【請求項７】
キャリア（２０）が凹部（６０）を有しており、該凹部（６０）が、第１のディスク状記憶媒体（５）よりも小さな直径を備えた第２のディスク状記憶媒体（１０）を載せるための収容部を形成する、請求項１から６までのいずれか１項記載のドライブ。
【請求項８】
キャリア（２０）の、挿入方向（６５）での長さが第１のディスク状記憶媒体（５）の直径の３分の２程度である、請求項１から７までのいずれか１項記載のドライブ。
【請求項９】
装填装置（１５）がガイド（７０，７５）、特にリニアガイドを有しており、該ガイド（７０，７５）内にキャリア（２０）が支承されている、請求項１から８までのいずれか１項記載のドライブ。
【請求項１０】
装填装置（１５）が、キャリア（２０）を搬送するための駆動部（８０）、特にリニア駆動部を有している、請求項１から９までのいずれか１項記載のドライブ。
【請求項１１】
駆動部（８０）が、キャリア（２０）の装填位置を基準として、キャリア（２０）の、挿入方向（６５）での長さの半分程度の間隔を挿入開口（２５）から置いて配置されており、かつキャリア（２０）に係合するようになっている、請求項１０記載のドライブ。
【請求項１２】
装填装置（１５）が少なくとも１つのセンサ（８５，９０）を有しており、該センサ（８５，９０）が、キャリア（２０）上にセットされたディスク状記憶媒体（５，１０，１３５）を検出する、請求項１から１１までのいずれか１項記載のドライブ。
【請求項１３】
第１のセンサ（８５）が圧力センサとして形成されており、第１のセンサ（８５）が、駆動部（８０）に接続されており、かつ挿入方向（６５）でキャリア（２０）、ひいては駆動部（８０）に力が加えられると検出を行う、請求項１２記載のドライブ。
【請求項１４】
第２のセンサ（９０）が光学式のセンサとして形成されている、請求項１２または１３記載のドライブ。
【請求項１５】
少なくとも１つのセンサ（８５，９０）が、キャリア（２０）上にセットされたディスク状記憶媒体（５，１０，１３５）を検出すると、装填装置（１５）がキャリア（２０）を再生位置へともたらす、請求項１２から１４までのいずれか１項記載のドライブ。
【請求項１６】
装填装置（１５）が装填スイッチ（９５）を有しており、該装填スイッチ（９５）の操作後に装填装置（１５）がキャリア（２０）を装填位置から挿出位置へともたらし、挿出位置でキャリア（２０）が挿入開口（２５）から突出する、請求項１から１５までのいずれか１項記載のドライブ。
【請求項１７】
キャリア（２０）が挿出位置で半分ほど挿入開口（２５）から突出する、請求項１から１６までのいずれか１項記載のドライブ。
【請求項１８】
先だってキャリア（２０）上にセットされたディスク状記憶媒体（５，１０，１３５）の取り出しが検出されると、装填装置（１５）がキャリア（２０）を挿出位置から装填位置へともたらす、請求項１から１７までのいずれか１項記載のドライブ。
【請求項１９】
装填装置（１５）がキャリア（２０）を、予め決められた時間の経過後に、挿出位置から再生位置へともたらす、請求項１から１８までのいずれか１項記載のドライブ。
【請求項２０】
装填スイッチ（９５）の操作時に装填装置（１５）がキャリア（２０）を、挿出位置から再生位置へともたらす、請求項１６または１７記載のドライブ。
【請求項２１】
キャリア（２０）が挿出位置でのみドライブ（１）から突出する、請求項１から２０までのいずれか１項記載のドライブ。
【発明の詳細な説明】
【技術分野】
【０００１】
背景技術
本発明は請求項１の上位概念部に記載された形式のドライブに関する。
【０００２】
ディスク状記憶媒体をドライブ内に搬送するための装填装置を備えた、ディスク状記憶媒体のためのドライブであって、装填装置が、ディスク状記憶媒体を収容するためのキャリアを有している形式のドライブは既に公知である。その際、キャリアは例えばディスク状記憶媒体を装填するためにドライブから走出する引出しとして形成されている。
【０００３】
発明の利点
これに対して、請求項１の特徴部に記載された特徴を備えた、本発明によるドライブが有する利点は、キャリアが装填位置で実質的にドライブ内に留まる点にある。このようにして、ディスク状記憶媒体を装填するためにドライブから走出させられる必要のない、引出し状のキャリアが実現される。より正確に言えば、ディスク状記憶媒体はローラ式引込みの場合と同様に直接ドライブ内に挿入されることができるが、ディスク状記憶媒体が、ローラ式引込みの場合に一般的であるように、汚されたり傷付けられたりすることはない。直接挿入により、使用者にとって、例えばボタン操作のようなディスク状記憶媒体を装填するための別の操作プロセスが省略されるので、本発明によるドライブは特に有利には、車両を操縦する使用者が道路交通から気を逸らすことが可能な限り僅かであるべき自動車において使用可能である。
【０００４】
さらに、本発明によるドライブの装填装置は、挿入された小部分に対してそれ程敏感ではない。比較的に僅かな構造上の手間で、本発明によるドライブの装填装置ならびに該装填装置により搬送されるディスク状記憶媒体の摩耗はかなり減じられる。
【０００５】
請求項２以下に記載された手段により、請求項１に記載されたドライブの、有利な変化形および改良形が可能である。
【０００６】
特に有利には、キャリアが開口の領域に、弾性的に支承された２つのセンタリングエレメントを有しており、該センタリングエレメントの間隔が第１のディスク状記憶媒体の直径よりも小さく、第１のディスク状記憶媒体の、挿入開口および開口を介したキャリア上への導入がセンタリングエレメントを拡開し、キャリアが、開口とは反対の側に、導入された第１のディスク状記憶媒体をブロックするための、少なくとも１つの保持エレメントを有している。このようにして、ディスク状記憶媒体はセンタリングエレメントにより確実に捕捉され、キャリア上の定められた位置に載置される。それにより、ディスク状記憶媒体はキャリアにより正確に再生位置にもたらされることができる。誤装填はこのようにして回避される。
【０００７】
特に有利には、キャリアが縁部を有しており、該縁部が、両センタリングエレメント各々と、少なくとも１つの保持エレメントとの間で、その都度１つの円弧状の制限部を形成する。このようにして、「異形コンパクトディスク」として形成されたディスク状記憶媒体がキャリアの中央に保持されて、キャリアによって、所定の再生位置へともたらされることができる。その際、この異形コンパクトディスクの輪郭の少なくとも３点は所定の通り、一般的なコンパクトディスクの外側の境界壁に相当する円上に位置しているので、異形コンパクトディスクは少なくともこれらの３点を介して円形の接触によりキャリアにセンタリングされてポジショニングされる。
【０００８】
また、特に有利には、キャリアが凹部を有しており、該凹部が、第１のディスク状記憶媒体よりも小さな直径を備えた第２のディスク状記憶媒体を載せるための収容部を形成する。このようにして、通常のコンパクトディスクが有する直径よりも小さな直径を有したディスク状記憶媒体も、キャリアの中央に保持され、このようにして、所定の再生位置にキャリアによってもたらされることができる。
【０００９】
凹部によって、そのような小さ目のディスク状記憶媒体も形状結合式（形状による束縛）にキャリア上にポジショニングされる。
【００１０】
また有利には、キャリアの、挿入方向での長さもしくは延びが第１のディスク状記憶媒体の直径の３分の２程度である。このようにして、第１のディスク状記憶媒体は使用者により完全にドライブ内に挿入させられる必要がなく、第１のディスク状記憶媒体がまだその直径の３分の１をドライブから突出させている時に既に、キャリアによって完全に捕捉される。
【００１１】
さらに、有利には、駆動部が、キャリアの装填位置を基準として、キャリアの、挿入方向での長さの半分程度の間隔を挿入開口から置いて配置されており、かつキャリアに係合するようになっている。このようにして、キャリアは可能な限り僅かな構造上の手間で再生位置にも挿出位置にも走行させられることができる。
【００１２】
特に有利には、装填装置が少なくとも１つのセンサを有しており、該センサが、キャリア上にセットされたディスク状記憶媒体を検出する。このようにして、ディスク状記憶媒体の、キャリアによる再生位置への自動的な引込みが実現され、この自動的な引込みは別の使用者行動を必要とせず、それにより、使用者にとって特に快適である。
【００１３】
そのようなセンサの、存在する駆動部を利用する特に簡単な実現は、第１のセンサが圧力センサとして形成されており、第１のセンサが、駆動部に接続されており、かつ挿入方向でキャリア、ひいては駆動部に力が加えられると検出を行う点にある。
【００１４】
さらに特に有利には、装填装置が装填スイッチを有しており、該装填スイッチの操作時に装填装置がキャリアを装填位置から挿出位置へともたらし、挿出位置でキャリアが挿入開口から突出する。このようにして、通常よりも小さな直径を有したディスク状記憶媒体もキャリア上にセットされ、キャリアにより再生位置へと搬送される。
【００１５】
別の利点は、キャリアが挿出位置で半分ほど挿入開口から突出する点にある。このようにして、ディスク状記憶媒体をドライブから特に大きく挿出させることが可能であり、このことは使用者にとって快適な、ディスク状記憶媒体の取り出しを可能にする。
【００１６】
また有利には、少なくとも１つのセンサが、先だってキャリア上にセットされたディスク状記憶媒体の取り出しを検出すると、装填装置がキャリアを挿出位置から装填位置へともたらす。このようにして、ドライブ内にキャリアを自動的に復帰させることが可能であり、このことは別の使用者行動を必要とせず、それゆえ、使用者にとって特に快適に操作される。
【００１７】
この利点は、装填装置がキャリアを、予め決められた時間の経過後に、挿出位置から再生位置へともたらす場合にも得られる。
【００１８】
別の利点は、装填スイッチの操作時に装填装置がキャリアを挿出位置から再生位置へともたらす点にある。このようにして、通常よりも小さな直径を有したディスク状記憶媒体もキャリアによって再生位置へと搬送されることができ、仮にこのディスク状記憶媒体が少なくとも１つのセンサによって、キャリア上に装填されているとは検出されることができなかったにしても、つまり、とりわけそれが挿出位置でキャリア上に載置された際に、圧力が挿入方向で駆動部に加えられなかったり、ディスク状記憶媒体がその僅かなサイズに基づいてドライブ内またはキャリア上の光学式のセンサにより認識されることができなかったりしても、この通常よりも小さな直径を有したディスク状記憶媒体はキャリアによって再生位置へと搬送されることができる。
【００１９】
以下に図面を参照しながら本発明の実施例について詳説する。
【００２０】
実施例の説明
図１において、符号１はディスク状記憶媒体５，１０，１３５のためのドライブもしくは駆動機構を示している。ドライブ１は例えばコンパクトディスクプレーヤ、コンパクトディスクチェンジャ、ミニディスクプレーヤ、ＤＶＤ（ｄｉｇｉｔａｌ  ｖｅｒｓａｔｉｌｅ  ｄｉｓｋ）プレーヤ、ＣＤ−ＲＯＭドライブまたはこれに類するものであることができる。ドライブ１はディスク状記憶媒体５，１０，１３５をドライブ１内に搬入またはドライブ１から搬出するための装填装置１５を有している。さらに、装填装置１５はディスク状記憶媒体５，１０，１３５を収容するためのキャリアもしくはトレイ２０を有している。
【００２１】
以下例示的にドライブ１がコンパクトディスクプレーヤであると仮定して話を進める。
【００２２】
図１により、装填装置１５は第１のガイドレール７０と第２のガイドレール７５とを有しており、ガイドレールは例えばリニアガイドとして挿入方向６５でドライブ１内を延在しており、ガイドレールにキャリア２０が案内されている。勿論、唯一のガイドレールまたは２つよりも多くのガイドレールがこの目的のためにドライブ１内に設けられていてもよい。ガイドレール７０，７５内でのキャリア２０の搬送は駆動部８０により実施され、駆動部８０は例えばリニア駆動部として形成されていることができる。この場合、リニア駆動部として、例えばスピンドル駆動、ベルト駆動、ラック、歯付きベルトまたはこれに類するものによる駆動が適している。
【００２３】
図１には装填位置にあるキャリア２０が示されている。その際、キャリア２０は装填位置で実質的にドライブ１の挿入開口２５から突出するのではなく、理想的には完全にドライブ１内部に留まるように構成されている。その際、図１に示されているように、キャリア２０の前縁１００はドライブ１の、挿入開口２５を有する前縁１０５で終わることができる。キャリア２０は挿入開口２５の方向で、ディスク状記憶媒体５，１０，１３５をセット（装入）するための開口１０００を有している。
【００２４】
ここでは例示的に示したキャリア２０は引出し形状に形成されている。キャリア２０は簡単かつ僅かな材料を用いて左右に１つずつの湾曲体またはフックを有しているだけでもよく、湾曲体またはフックの間でディスク状記憶媒体５，１０，１３５がクランプされる。その際、湾曲体またはフックは例えばシンクロにリニア駆動部により駆動されるか、またはその他の、当業者にとって公知の形式で個別的にまたは一緒にシフトされる。その際、湾曲体またはフックはやはり開口を、ディスク状記憶媒体５，１０，１３５をセットするための挿入開口２５の方向で形成する。キャリア２０によるディスク状記憶媒体５，１０，１３５の収容部のコンセプトは本発明の対象では明らかにローラ式引込み（Ｗａｌｚｅｎｅｉｎｚｕｇ）のコンセプトから区別されることができる。
【００２５】
キャリア２０の開口１０００の領域にある前縁１００には付加的に、図１に示されているように、２つのセンタリングエレメント３０，３５が配置されていることができ、挿入開口２５および開口１０００を介してアクセス可能もしくは接近可能であることができる。その際、両センタリングエレメント３０，３５の間隔は、本例では一般的なコンパクトディスクを成すべき、第１のディスク状記憶媒体５の直径よりも小さい。その際、センタリングエレメント３０，３５は弾性的にキャリア２０に支承されている。キャリア２０の前縁１００に対向して位置する、キャリア２０の後縁１１０には、図１に示されているように、第１の保持エレメント４０と第２の保持エレメント４５とが配置されている。その際、唯一の保持エレメントまたは２つよりも多くの保持エレメントをキャリア２０の後縁１１０に配置することも可能である。
【００２６】
そこで、第１のディスク状記憶媒体５が挿入開口２５を介してドライブ１内に導入される際に、キャリア２０が図１に示した装填位置にある場合、第１のディスク状記憶媒体５は最初にセンタリングエレメント３０，３５を外側に押し広げ、このようにして、キャリア２０上の所定の位置に達する。挿入プロセスは第１のディスク状記憶媒体５が第１の保持エレメント４０および／または第２の保持エレメント４５に当接すると終了する。
【００２７】
センタリングエレメント３０，３５および保持エレメント４０，４５は、第１のディスク状記憶媒体５が、第１のディスク状記憶媒体５の挟み込み時もしくはポジショニング時における誤センタリングを回避するために、キャリア２０上の所定の位置に載置され、それにより所定の再生位置へともたらされ得ることを保証する。
【００２８】
第１のディスク状記憶媒体５をキャリア２０上でポジショニングすることは付加的にさらに、第１のセンタリングエレメント３０と第１の保持エレメント４０との間に第１の円弧状の制限部５０がキャリア２０上に配置されることにより改善されることができる。相応に、第２のセンタリングエレメント３５と第２の保持エレメント４５との間にはキャリア２０上に第２の円弧状の制限部５５が配置されていることができる。その際、円弧状の制限部５０，５５の半径は第１のディスク状記憶媒体５の半径にほぼ等しい。
【００２９】
その際、円弧状の制限部５０，５５は、第１のディスク状記憶媒体５の代わりに、図６に示した「異形コンパクトディスク（Ｓｈａｐｅ−Ｋｏｍｐａｋｔｄｉｓｋ）」１３５が挿入開口２５を介してドライブ１内に挿入されるべき場合に特に有利である。そのような異形コンパクトディスク１３５は、その輪郭の少なくとも３点が所定の通りに１つの円上に位置していて、その円の半径が第１のディスク状記憶媒体５の半径に等しいという特性を有している。それにより、そのような異形コンパクトディスク１３５の導入時に、センタリングエレメント３０，３５が触れられないもしくは外方に押し広げられない場合にも、異形コンパクトディスク１３５は一般に、異形コンパクトディスク１３５の輪郭の所定の点の少なくとも一部が円弧状の制限部５０，５５に当接することにより、キャリア２０上の所定の位置にセットされ、キャリア２０によって所定の再生位置へともたらされることができる。
【００３０】
そこで、図１に示されているように、キャリア２０の、挿入方向６５での長さは第１のディスク状記憶媒体５の直径よりも小さいように構成されていることができる。その際、キャリア２０の、挿入方向６５での長さは例えば、図１に暗示されているように、第１のディスク状記憶媒体５の直径の３分の２程度であることができる。このことは、第１のディスク状記憶媒体５をキャリア２０内に、保持エレメント４０，４５に当接するまで挿入した後に、第１のディスク状記憶媒体５がまだその直径の３分の１程度、挿入開口２５から突出していることを意味しており、その結果、使用者は第１のディスク状記憶媒体５を完全に奥までドライブ１内に挿入する必要がなく、それにより、第１のディスク状記憶媒体５は再生位置にもたらされることができる。このことは使用者にとって、とりわけドライブ１が自動車内で使用されることになっていて、使用者が道路交通から注意を逸らすことが可能な限り僅かであるべき場合に特に快適である。その際、保持エレメント４０，４５からのセンタリングエレメント３０，３５の間隔は、第１のディスク状記憶媒体５をキャリア２０内に完全に挿入した後、すなわち第１のディスク状記憶媒体５が保持エレメント４０，４５に当接した後に、センタリングエレメント３０，３５が再度その出発位置に復帰するように選択されていることができる。
【００３１】
さらに図１に暗示されているように、やはり駆動部８０は、キャリア２０の装填位置で見て、挿入方向６５でのキャリア２０の長さの半分程度の間隔を挿入開口２５から置いてドライブ１内に配置されており、キャリア２０に噛み合うようになっていることができる。それにより、キャリア２０は、再生位置へとドライブ１内に走入させる場合においても、挿出位置へとドライブ１から走出させる場合においても、常に駆動部８０と直接的に係合したままにあることができる。このことは再生位置を示す図２および挿出位置を示す図３から見て取ることができる。
【００３２】
そこで図１によれば、装填装置１５は少なくとも１つのセンサ８５，９０を有することができ、センサ８５，９０はディスク状記憶媒体がキャリア２０上にセットされたかどうかを検出する。その際、第１のセンサ８５は圧力センサとして形成されていることができ、挿入方向６５でキャリア２０に、ひいては駆動部８０に力が加えられると検出を行うように駆動部８０に接続されている。このことは、ディスク状記憶媒体が挿入開口２５を介してキャリア２０内に挿入されたと解釈される。
【００３３】
圧力センサとして、標準的なスイッチも考えられる。そのようなスイッチは挿出位置で、走出したキャリア２０によってアクティブ化される。キャリア２０を少しの区間分だけドライブ１内に押し込むと、スイッチは解放され、圧力が認識される。
【００３４】
付加的または択一的に、第２のセンサ９０が設けられていることができ、センサ９０は例えば光学式のセンサとして形成されており、やはり、ディスク状記憶媒体が挿入開口２５を介してキャリア２０内に導入されたかどうかを検出する。その際、光学式のセンサ９０は光源１１５とフォトダイオード１２０とを有していることができる。その際、光源１１５およびフォトダイオード１２０は、ディスク状記憶媒体がキャリア２０にセットされていない場合には、光源１１５から放射された光がフォトダイオード１２０により受信され、かつディスク状記憶媒体がキャリア２０内にセットされている場合には、光源１１５からフォトダイオード１２０への光線が遮られるようにキャリア２０に配置されているので、このような形式で、キャリア２０内のディスク状記憶媒体の存在は検出される。
【００３５】
さらに選択的に、装填装置１５が装填スイッチ９５を有しており、その際、装填スイッチ９５の操作後に装填装置１５はキャリア２０を装填位置から挿出位置へともたらし、挿出位置でキャリア２０は挿入開口２５から突出する。装填スイッチ９５はそれにより駆動部８０を起動制御する。
【００３６】
図２において図１と同一のエレメントには同一の符号を付与した。図２において、完全にキャリア２０内にセットされた第１のディスク状記憶媒体５を備えたキャリア２０は再生位置ににあって、この再生位置で、第１のディスク状記憶媒体５は、図２には示されていない、読取り装置の読取りヘッドにより読出されることができる。装填位置からキャリア２０は再生位置へと駆動部８０によりガイドレール７０，７５に沿って走行させられる。図１に基づいて説明した例のように、挿入方向６５でのキャリア２０の長さが第１のディスク状記憶媒体５の直径の３分の２程度である場合、第１のディスク状記憶媒体５が保持エレメント４０，４５に当接するまでキャリア２０内に導入されて、キャリア２０によって、第１のディスク状記憶媒体５の直径の３分の１程度に相当する区間分だけドライブ１内に走入させられると、第１のディスク状記憶媒体５は完全にドライブ１内に位置する。そこで、図１に示されているように、駆動部８０がドライブ１内にポジショニングされている場合、駆動部８０は図２に示した再生位置でもまだキャリア２０の前縁１００の領域でキャリア２０に噛み合っているので、キャリア２０の、再生位置から装填位置または挿出位置への戻し搬送は駆動部８０により保証されている。
【００３７】
図３においてやはり先に挙げた両図面と同一のエレメントには同一の符号を付与した。図３において、完全にセットされた第１のディスク状記憶媒体５を備えたキャリア２０は挿出位置にあって、挿入開口２５、ひいてはドライブ１から突出している。その際、第１のディスク状記憶媒体５が保持エレメント４０，４５に当接するまでキャリア２０内に導入されていて、かつ挿入方向６５でのキャリア２０の長さが第１のディスク状記憶媒体５の直径の３分の２程度である場合、キャリア２０が挿入開口２５を介してドライブ１から半分ほどガイドレール７０，７５に沿って駆動部８０により走出させられると、第１のディスク状記憶媒体５はその直径の３分の２程度、ドライブ１もしくは挿入開口２５から突出する。このようにして、第１のディスク状記憶媒体５の、使用者によるドライブ１からの快適な取り出しが可能である。図１に示されているように、駆動部８０がドライブ１内にポジショニングされていれば、駆動部は、キャリア２０が図３に示された挿出位置にある場合に、それでも尚キャリア２０の後縁１１０の領域でキャリア２０に係合しており、それによりドライブ１内へのキャリア２０の戻し搬送は保証されている。
【００３８】
図４にはキャリア２０がより詳細に示されている。キャリア２０はディスク状記憶媒体５，１０，１３５のための収容部領域に切欠き１２５を有している。図２に示されているように、キャリア２０が再生位置にもたらされると、ターンテーブルは切欠き１２５の領域に位置する。キャリア２０が、セットされたディスク状記憶媒体５，１０，１３５を再生するために下降されると、セットされたディスク状記憶媒体５，１０，１３５は、図４には示されていないターンテーブルに係合し、ターンテーブルによって、ドライブ１の、やはり図示されていない読取り装置による読出しを可能にするために、回転させられることができる。択一的にターンテーブルが、ディスク状記憶媒体５，１０，１３５を把持して回転させるために上昇させられてもよい。
【００３９】
図４によれば選択的に、第１のディスク状記憶媒体５のための、センタリングエレメント３０，３５と保持エレメント４０，４５と場合によっては円弧状の制限部５０，５５とにより定義されて制限された載置面１３０に対して同心的に、円弧状の周囲を備えた凹部６０を設けることが可能であって、この凹部６０の直径は第１のディスク状記憶媒体５の直径よりも小さく、凹部６０は第１のディスク状記憶媒体５よりも小さな直径を備えた第２のディスク状記憶媒体１０を収容するために役立つ。このことは図５に示されており、図５において図４と同一のエレメントには同一の符号を付与した。図４においてもその他の図面と同一のエレメントには同一の符号を付与した。
【００４０】
そこで、図６に示した状態遷移図を参照しながら、本発明によるドライブ１の機能形式を詳細に説明する。ドライブ１の第１の状態１５５において、キャリア２０は図１に示した装填位置にある。第１の状態１５５、つまりキャリア２０の装填位置は第１の条件１４０が充足されていれば脱出されることができる。第１の条件１４０は以下の事例の内の少なくとも１つが出現すれば充足されている。
１）第１のセンサ８５がディスク状記憶媒体５，１０，１３５の、挿入開口２５を介したキャリア２０内への挿入を検出する。
２）第２のセンサ９０がディスク状記憶媒体５，１０，１３５の、挿入開口２５を介したキャリア２０内への挿入を検出する。
３）装填スイッチ９５が操作される。
【００４１】
キャリア２０が装填位置にある場合、一般に、第１のディスク状記憶媒体５の直径を有したディスク状記憶媒体、すなわち従来慣用の直径を有したディスク状記憶媒体、例えば従来慣用のコンパクトディスクが挿入開口２５を介してキャリア２０内に挿入される。
【００４２】
第１の条件１４０が充足されていれば、第４の条件１７０が充足されているかどうかが調べられる。ディスク状記憶媒体５，１０，１３５がキャリア２０の装填位置でセットされたら、第４の条件１７０は充足されている。その際、第４の条件１７０は第１のセンサ８５または第２のセンサ９０による検出の、先述の両事例において充足されている。ただし、第１のセンサ８５も第２のセンサ９０も装填スイッチ９５の操作時にディスク状記憶媒体をキャリア２０内に検出しなければ、第４の条件１７０は充足されていない。第４の条件１７０が充足されていれば、第２の状態１６０への状態遷移が行われ、第２の状態１６０でキャリア２０は再生位置にある。それにより、この状態遷移はキャリア２０が装填位置から図２に示した再生位置へと搬送されることにより特徴付けられている。第４の条件１７０が充足されていなければ、第３の状態１６５への状態遷移が行われ、第３の状態１６５でキャリア２０は図３に示した挿出位置にあるので、この状態遷移時にキャリア２０は装填位置から挿出位置へと搬送される。第２の状態１６０で、セットされたディスク状記憶媒体５，１０，１３５は再生される、すなわち、ディスク状記憶媒体に蓄えられたデータがドライブ１の読取り装置によって読出され、再生部に供給される。第２の条件１４５が充足されていれば、第２の状態１６０は脱出される。以下の両事例の内の少なくとも一方が出現すれば、第２の条件１４５は充足されている。
４）装填スイッチ９５が操作される。
５）ディスク状記憶媒体の再生時の誤読出しが、図示されていない、読出されたデータを評価するための論理によって確認される。
【００４３】
第２の条件１４５が充足されていれば、第２の状態１６０から第３の状態１６５への状態遷移が行われる、すなわち、キャリア２０が再生位置から図３に示した挿出位置へと搬送される。第３の条件１５０が充足されていれば、第３の状態１６５、すなわち、キャリア２０の挿出位置は脱出される。以下の４つの事例の内の少なくとも１つが出現すれば、第３の条件１５０は充足されている。
６）装填スイッチ９５が操作される。
７）第１のセンサ８５がキャリア２０内へのディスク状記憶媒体５，１０，１３５のセットを検出する。
８）第２のセンサ９０がキャリア２０内へのディスク状記憶媒体５，１０，１３５のセットを検出する。
９）第３の状態１６５に達した後、予め決められた時間が経過する。
【００４４】
第３の条件１５０が充足されていれば、第６の条件１７５が充足されているかどうかが調べられる。第３の状態１６５でディスク状記憶媒体５，１０，１３５がセットされた、つまり例えば第７の事例または第８の事例が出現し、両センサ８５，９０のいずれか一方がディスク状記憶媒体５，１０，１３５のセットを検出したら、第６の条件１７５は充足されている。第６の条件１７５が充足されていれば、第２の状態１６０への状態遷移が行われ、キャリア２０は挿出位置から、セットされたディスク状記憶媒体５，１０，１３５を再生するための再生位置に搬送される。第６または第９の事例で両センサ８５，９０のいずれもがディスク状記憶媒体５，１０，１３５をキャリア２０内に検出しなければ、第６の条件１７５は充足されておらず、第３の状態１６５から第１の状態１５５への状態遷移が行われ、その際、キャリア２０は挿出位置から装填位置へと搬送される。
【００４５】
第３の状態１６５で、つまりキャリア２０が挿出位置にあると、キャリア２０内にセットされたディスク状記憶媒体５，１０，１３５はキャリア２０から取り出されることができるし、またはディスク状記憶媒体５，１０，１３５はキャリア２０内にセットされることができる。第１のディスク状記憶媒体５の直径を有した従来慣用のディスク状記憶媒体を装填するためには、本発明により、ドライブ１の第１の状態１５５、つまりキャリア２０の装填位置が設けられているので、そのようなディスク状記憶媒体を第３の状態１６５で装填することは確かに可能ではあるものの、必ずしも必要という訳ではない。すなわち、第１のディスク状記憶媒体５を装填するために、キャリア２０は前もって挿出位置にもたらされる必要はない。キャリア２０の挿出位置はむしろ主として第１のディスク状記憶媒体５をキャリア２０から快適に取り出すために役立つ。ただし、第２のディスク状記憶媒体１０および図６で符号１３５を付与されている「異形コンパクトディスク」のために、キャリア２０の挿出位置、つまり第３の状態１６５を、そのようなディスク状記憶媒体を装填するために設けることは推奨に値する。それというのも、さもなければ、キャリア２０の装填位置では、そのようなディスク状記憶媒体を所定の通りに中心に挿入することは保証されていないからである。この場合、キャリア２０の挿出位置、ひいては第３の状態１６５は同じく第２のディスク状記憶媒体１０もしくは異形コンパクトディスク１３５をキャリア２０から取り出すためにも役立つ。
【００４６】
第３の状態１６５で使用者が、セットされたディスク状記憶媒体５，１０，１３５を取り出すと、この取り出しは、第１のセンサ８５も第２のセンサ９０も、セットされたディスク状記憶媒体を検出しないことによって、つまり圧力が圧力センサ８５に作用せず、かつ光学式のセンサ９０の光線が遮断されないことによって検出される。このようにして、センサ８５，９０はディスク状記憶媒体５，１０，１３５の取り出しを、センサが、セットされたディスク状記憶媒体をもはや検出しないことにより検出する。このことは、説明した通り、第１の状態１５５への遷移につながる。両センサ８５，９０の少なくとも一方が、第３の状態１６５において、第６の事例に基づく装填スイッチ９５の操作時または第９の事例に基づく所定の時間の経過時に、セットされたディスク状記憶媒体５，１０，１３５を、駆動部８０、ひいては圧力センサ８５に対する圧力の作用もしくは光学式のセンサ９０の光線の遮断によって検出すると、説明した通り、第３の状態１６５から第２の状態１６０への状態遷移が行われる。ただし、第６の事例または第９の事例の出現時に、両センサ８５，９０のいずれによっても、セットされたディスク状記憶媒体５，１０，１３５が検出されない場合、説明した通り、第３の状態１６５から第１の状態１５５への状態遷移が行われる。それにより、第３の状態１６５でディスク状記憶媒体５，１０，１３５をセットした場合、キャリア２０は、両センサ８５，９０の内の少なくとも一方による、セットされたディスク状記憶媒体５，１０，１３５の検出直後に、再生位置にもたらされるか、または遅くても装填スイッチ９５の操作時もしくは所定の時間の経過後には、両センサの少なくとも一方によって、セットされたディスク状記憶媒体５，１０，１３５が検出される限りにおいて再生位置へともたらされる。
【００４７】
光学式のセンサ９０は有利にはドライブ１の前縁１０５の領域でドライブ１内に配置されている。このことは、キャリア２０内にセットされたディスク状記憶媒体５，１０，１３５の検出を装填位置においても挿出位置においても、図２に見て取ることができるような、キャリア２０の再生位置においても保証する。とりわけ、例えば第２のディスク状記憶媒体１０のような、小さな直径を備えたディスク状記憶媒体、異形コンパクトディスク１３５または異形ディスク状記憶媒体全般のセットを、キャリア２０の装填位置においても挿出位置においても検出できるようにするために、光学式のセンサ９０を、両センタリングエレメント３０，３５のそれぞれに対してほぼ等間隔を置いて配置することも有利である。
【００４８】
図６に示した状態遷移を実現し、かつそこに示された状態遷移図の条件を調べるために、ドライブ１は図面には示されていない制御部を有しており、制御部にセンサ８５，９０、駆動部８０および装填スイッチ９５が接続されている。
【００４９】
本発明により、キャリア２０が挿出位置においてのみドライブ１から突出するように構成することができる。
【図面の簡単な説明】
【００５０】
【図１】装填位置にある、ディスク状記憶媒体を収容するためのキャリアを備えた、本発明によるドライブを示す図である。
【図２】再生位置にあるキャリアを備えた、本発明によるドライブを示す図である。
【図３】挿出位置にあるキャリアを備えた、本発明によるドライブを示す図である。
【図４】キャリアを示す図である。
【図５】通常よりも小さな直径の、セットされたディスク状記憶媒体を有したキャリアを示す図である。
【図６】本発明によるドライブの機能形式のための状態遷移図である。
【国際公開パンフレット】
2005500645.tif 000003
2005500645.tif 000004
2005500645.tif 000005
2005500645.tif 000006
2005500645.tif 000007
2005500645.tif 000008
2005500645.tif 000009
2005500645.tif 000010
2005500645.tif 000011
2005500645.tif 000012
2005500645.tif 000013
2005500645.tif 000014
2005500645.tif 000015
2005500645.tif 000016
2005500645.tif 000017
2005500645.tif 000018
2005500645.tif 000019
2005500645.tif 000020
2005500645.tif 000021
2005500645.tif 000022
2005500645.tif 000023
2005500645.tif 000024
2005500645.tif 000025
2005500645.tif 000026
2005500645.tif 000027
2005500645.tif 000028
2005500645.tif 000029
2005500645.tif 000030
【手続補正書】
【提出日】平成15年8月19日(2003.8.19)
【手続補正１】
【補正対象書類名】特許請求の範囲
【補正対象項目名】全文
【補正方法】変更
【補正の内容】
【特許請求の範囲】
【請求項１】
ディスク状記憶媒体（５，１０，１３５）をドライブ（１）内に搬送するための装填装置（１５）を備えた、ディスク状記憶媒体（５，１０，１３５）のためのドライブ（１）であって、装填装置（１５）が、ディスク状記憶媒体（５，１０，１３５）を収容するためのキャリア（２０）を有している形式のものにおいて、キャリア（２０）が装填位置で完全にドライブ（１）内に留まり、かつキャリア（２０）が挿出位置でドライブ（１）から突出することを特徴とするドライブ。
【請求項２】
キャリア（２０）がドライブ（１）の挿入開口（２５）の方向で、ディスク状記憶媒体（５，１０，１３５）をセットするための開口（１０００）を形成する、請求項１記載のドライブ。
【請求項３】
キャリア（２０）が開口（１０００）の領域に、弾性的に支承された２つのセンタリングエレメント（３０，３５）を有しており、該センタリングエレメント（３０，３５）の間隔が第１のディスク状記憶媒体（５）の直径よりも小さく、第１のディスク状記憶媒体（５）の、挿入開口（２５）および開口（１０００）を介したキャリア（２０）上への導入がセンタリングエレメント（３０，３５）を外方に押し広げ、キャリア（２０）が、開口（１０００）とは反対の側に、導入された第１のディスク状記憶媒体（５）をブロックするための、少なくとも１つの保持エレメント（４０，４５）を有している、請求項１または２記載のドライブ。
【請求項４】
センタリングエレメント（３０，３５）と少なくとも１つの保持エレメント（４０，４５）との間の間隔を、少なくとも１つの保持エレメント（４０，４５）に対する第１のディスク状記憶媒体（５）の当接時にセンタリングエレメント（３０，３５）が再度その出発位置に復帰するように設定してある、請求項３記載のドライブ。
【請求項５】
キャリア（２０）が縁部（５０，５５）を有しており、該縁部（５０，５５）が、両センタリングエレメント（３０，３５）各々と、少なくとも１つの保持エレメント（４０，４５）との間で、その都度１つの円弧状の制限部を形成する、請求項３または４記載のドライブ。
【請求項６】
キャリア（２０）が凹部（６０）を有しており、該凹部（６０）が、第１のディスク状記憶媒体（５）よりも小さな直径を備えた第２のディスク状記憶媒体（１０）を載せるための収容部を形成する、請求項１から５までのいずれか１項記載のドライブ。
【請求項７】
キャリア（２０）の、挿入方向（６５）での長さが第１のディスク状記憶媒体（５）の直径の３分の２程度である、請求項１から６までのいずれか１項記載のドライブ。
【請求項８】
装填装置（１５）がガイド（７０，７５）、特にリニアガイドを有しており、該ガイド（７０，７５）内にキャリア（２０）が支承されている、請求項１から７までのいずれか１項記載のドライブ。
【請求項９】
装填装置（１５）が、キャリア（２０）を搬送するための駆動部（８０）、特にリニア駆動部を有している、請求項１から８までのいずれか１項記載のドライブ。
【請求項１０】
駆動部（８０）が、キャリア（２０）の装填位置を基準として、キャリア（２０）の、挿入方向（６５）での長さの半分程度の間隔を挿入開口（２５）から置いて配置されており、かつキャリア（２０）に係合するようになっている、請求項９記載のドライブ。
【請求項１１】
装填装置（１５）が少なくとも１つのセンサ（８５，９０）を有しており、該センサ（８５，９０）が、キャリア（２０）上にセットされたディスク状記憶媒体（５，１０，１３５）を検出する、請求項１から１０までのいずれか１項記載のドライブ。
【請求項１２】
第１のセンサ（８５）が圧力センサとして形成されており、第１のセンサ（８５）が、駆動部（８０）に接続されており、かつ挿入方向（６５）でキャリア（２０）、ひいては駆動部（８０）に力が加えられると検出を行う、請求項１１記載のドライブ。
【請求項１３】
第２のセンサ（９０）が光学式のセンサとして形成されている、請求項１１または１２記載のドライブ。
【請求項１４】
少なくとも１つのセンサ（８５，９０）が、キャリア（２０）上にセットされたディスク状記憶媒体（５，１０，１３５）を検出すると、装填装置（１５）がキャリア（２０）を再生位置へともたらす、請求項１１から１３までのいずれか１項記載のドライブ。
【請求項１５】
装填装置（１５）が装填スイッチ（９５）を有しており、該装填スイッチ（９５）の操作後に装填装置（１５）がキャリア（２０）を装填位置から挿出位置へともたらし、挿出位置でキャリア（２０）が挿入開口（２５）から突出する、請求項１から１４までのいずれか１項記載のドライブ。
【請求項１６】
キャリア（２０）が挿出位置で半分ほど挿入開口（２５）から突出する、請求項１から１５までのいずれか１項記載のドライブ。
【請求項１７】
先だってキャリア（２０）上にセットされたディスク状記憶媒体（５，１０，１３５）の取り出しが検出されると、装填装置（１５）がキャリア（２０）を挿出位置から装填位置へともたらす、請求項１から１６までのいずれか１項記載のドライブ。
【請求項１８】
装填装置（１５）がキャリア（２０）を、予め決められた時間の経過後に、挿出位置から再生位置へともたらす、請求項１から１７までのいずれか１項記載のドライブ。
【請求項１９】
装填スイッチ（９５）の操作時に装填装置（１５）がキャリア（２０）を、挿出位置から再生位置へともたらす、請求項１５または１６記載のドライブ。
【国際調査報告】
2005500645.tif 000031
2005500645.tif 000032
2005500645.tif 000033
2005500645.tif 000034